(57)【要約】【課題】より効率的に膨張弁を制御することが可能な空気調和機を提供する。【解決手段】室外熱交換器１４と、室外熱交換器１４の温度を測定するための温度センサ２１と、膨張弁１５と、暖房運転中に室外熱交換器１４の温度が所定値以下になったときに、膨張弁１５の絞りを制限するための制御部１００と、を備える空気調和機１が提供される。あるいは、室外熱交換器１４と、室外熱交換器１４の温度を測定するための温度センサ２１と、膨張弁１５と、暖房運転を開始してから所定の時間経過した場合に、膨張弁１５の絞りを制限するための制御部１００と、を備える空気調和機１が提供される。【選択図】図４
2019020019.tif 000002
【特許請求の範囲】
【請求項１】
室外熱交換器と、
前記室外熱交換器の温度を測定するための温度センサと、
膨張弁と、
暖房運転中に前記室外熱交換器の温度が所定値以下になったときに、前記膨張弁の絞りを制限するための制御部と、を備える空気調和機。
【請求項２】
室外熱交換器と、
前記室外熱交換器の温度を測定するための温度センサと、
膨張弁と、
暖房運転を開始してから所定の時間経過した場合に、前記膨張弁の絞りを制限するための制御部と、を備える空気調和機。
【請求項３】
前記制御部は、前記制限として、前記膨張弁を閉める速度を所定値よりも遅くする、請求項１または２に記載の空気調和器。
【請求項４】
前記制御部は、前記制限として、前記膨張弁の開度を所定値よりも下げないようにする、請求項１から３のいずれか１項に記載の空気調和機。
【請求項５】
前記制御部は、湿度が所定値以上である場合に前記制限を開始する、請求項１から４のいずれか１項に記載の空気調和機。
【請求項６】
膨張弁と、
暖房運転時の前記膨張弁の開閉速度が、冷房運転時の前記膨張弁の開閉速度よりも遅くなるように制御するための制御部と、を備える空気調和機。
【請求項７】
膨張弁と、
暖房運転時の前記膨張弁の最小開度が、冷房運転時の前記膨張弁の最小開度よりも大きくなるように制御するための制御部と、を備える空気調和機。
【発明の詳細な説明】
【技術分野】
【０００１】
本発明は、空気調和機の技術に関し、特に膨張弁の制御の技術に関する。
【背景技術】
【０００２】
一般に、空気調和機は、圧縮機、室外熱交換器、膨張弁、室内熱交換器、切換弁等の部品が接続される冷凍サイクルを搭載する。このような空気調和機では、切換弁を切り換えることで、冷凍サイクルを冷房運転サイクル、除霜運転サイクルおよび暖房運転サイクルに切り換えることができる。
【０００３】
そして、冷房運転サイクルおよび除霜運転サイクルでは、圧縮機、切換弁、室外熱交換器（凝縮器）、膨張弁、室内熱交換器（蒸発器）、切換弁、圧縮機の順に冷媒が循環し、これにより、室内熱交換器で吸収した室内の熱が室外熱交換器で室外に放出される。
【０００４】
また、暖房運転サイクルでは、圧縮機、切換弁、室内熱交換器（凝縮器）、膨張弁、室外熱交換器（蒸発器）、切換弁、圧縮機の順に冷媒が循環し、これにより、室外熱交換器で吸収した室外の熱が室内熱交換器で室内に放出される。
【０００５】
そして、特開２０１２−６３０３３号公報（特許文献１）には、空気調和機が開示されている。特許文献１によると、空気調和機は、１台の室外機に、冷媒を圧縮する圧縮機と、四方弁と、室外熱交換器と、膨張弁と、筐体の上部に設けられた空気吹出口に向かって空気を吹出すように設けられた送風ファンを備えた空気調和機において、膨張弁から室外熱交換器に流入する回路を上部と下部に分離し、それぞれ上下に分離した回路のそれぞれにおいて、冷房運転時のサイクルにおいて室外熱交換器の出口温度を検出する室外熱交換器出口温度検出手段と、膨張弁とを備え、冷房運転時のサイクルで除霜運転を行なうとともに、室外熱交換器出口温度検出手段のそれぞれに基づいて除霜終了条件を判断する。
【０００６】
また、特開２０１２−７８８４号公報（特許文献２）には、空気調和機が開示されている。特許文献２によると、室内吹出空気温度と室外外気温度と圧縮機運転周波数に基づく室外機用送風機の回転数制御、および室内吹出空気温度に基づく室内膨張弁の開度制御、および圧縮機の吐出温度に基づくバイパス回路用電磁弁のON/OFF制御などによって、冷房運転時の室内ユニットからの吹出空気温度低下を防止し、快適な室内空調を実現する。
【先行技術文献】
【特許文献】
【０００７】
【特許文献１】特開２０１２−６３０３３号公報
【特許文献２】特開２０１２−７８８４号公報
【発明の概要】
【発明が解決しようとする課題】
【０００８】
本発明の目的は、より効率的に膨張弁を制御することが可能な空気調和機を提供することにある。
【課題を解決するための手段】
【０００９】
本発明のある態様に従うと、室外熱交換器と、室外熱交換器の温度を測定するための温度センサと、膨張弁と、暖房運転中に室外熱交換器の温度が所定値以下になったときに、膨張弁の絞りを制限するための制御部と、を備える空気調和機が提供される。
【発明の効果】
【００１０】
以上のように、本発明によれば、より効率的に膨張弁を制御することが可能な空気調和機が提供される。
【図面の簡単な説明】
【００１１】
【図１】第１の実施の形態にかかる空気調和機１の概略構成図である。なお、本図では、四路切換弁１３が冷房運転状態および除霜運転状態となっている。
【図２】第１の実施の形態にかかる空気調和機１の概略構成図である。なお、本図では、四路切換弁１３が暖房運転状態となっている。
【図３】第１の実施の形態にかかる空気調和機１の構成を表わすブロック図である。
【図４】第１の実施の形態にかかる制御部１００による膨張弁制御処理を示すフローチャートである。
【図５】通常の暖房運転時の膨張弁の開度の推移を示すグラフと、第１の実施の形態にかかる暖房運転時の膨張弁の開度の推移を示すグラフである。
【図６】通常の暖房運転時の加熱度の推移を示すグラフである。
【図７】加熱度の変化を示すグラフと、通常の暖房運転時の加熱度の推移と第１の実施の形態にかかる暖房運転時の加熱度の推移を示すグラフである。
【図８】第２の実施の形態にかかる制御部１００による膨張弁制御処理を示すフローチャートである。
【図９】第３の実施の形態にかかる制御部１００による膨張弁制御処理を示すフローチャートである。
【図１０】第４の実施の形態にかかる制御部１００による膨張弁制御処理を示すフローチャートである。
【図１１】第５の実施の形態にかかる制御部１００による膨張弁制御処理を示すフローチャートである。
【図１２】第６の実施の形態にかかる制御部１００による膨張弁制御処理を示すフローチャートである。
【図１３】第７の実施の形態にかかる制御部１００による第１の膨張弁制御処理を示すフローチャートである。
【図１４】第７の実施の形態にかかる制御部１００による第２の膨張弁制御処理を示すフローチャートである。
【図１５】第８の実施の形態にかかる制御部１００による第１の膨張弁制御処理を示すフローチャートである。
【図１６】第８の実施の形態にかかる制御部１００による第２の膨張弁制御処理を示すフローチャートである。
【図１７】第９の実施の形態にかかる制御部１００による第１の膨張弁制御処理を示すフローチャートである。
【図１８】通常の暖房運転時の膨張弁１５の開度の推移を示すグラフである。
【図１９】第９の実施の形態にかかる制御部１００による第２の膨張弁制御処理を示すフローチャートである。
【図２０】第１０の実施の形態にかかる制御部１００による第１の膨張弁制御処理を示すフローチャートである。
【図２１】第１０の実施の形態にかかる制御部１００による第２の膨張弁制御処理を示すフローチャートである。
【図２２】第１１の実施の形態にかかる制御部１００による第１の膨張弁制御処理を示すフローチャートである。
【図２３】第１１の実施の形態にかかる制御部１００による第２の膨張弁制御処理を示すフローチャートである。
【図２４】第１２の実施の形態にかかる制御部１００による第１の膨張弁制御処理を示すフローチャートである。
【図２５】第１２の実施の形態にかかる制御部１００による第２の膨張弁制御処理を示すフローチャートである。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和機の全体構成＞
【００１３】
まず、本実施の形態にかかる空気調和機１の全体構成と基本的な動作概要とについて説明する。なお、図１は、本実施の形態にかかる空気調和機の冷房運転時および除霜運転時の概略構成図である。また、図２は、本実施の形態にかかる空気調和機の暖房運転時の概略構成図である。
【００１４】
図１および図２を参照して、本実施の形態にかかる空気調和機１は、セパレート式の空気調和機であって、主に、室外機１０と室内機３０とから構成されている。空気調和機１は、室外機１０と室内機３０とが冷媒配管１７および１８を介して接続されることによって構成されている。以下、室外機１０と室内機３０とについて詳述する。
【００１５】
室外機１０は、主に、筐体１１、圧縮機１２、四路切換弁１３、室外熱交換器１４、膨張弁１５、室外ファン１６、冷媒配管１７、冷媒配管１８、二方弁１９、三方弁２０、室外熱交換器温度センサ２１、吐出温度センサ２２、吸入温度センサ２３、出口温度センサ２４、外気温度センサ２５、室外熱交換器湿度センサ２６および室外制御部２９から構成されている。筐体１１には、圧縮機１２、四路切換弁１３、室外熱交換器１４、膨張弁１５、室外ファン１６、冷媒配管１７、冷媒配管１８、二方弁１９、三方弁２０、温度センサ２１〜２５、湿度センサ２６および室外制御部２９等が収納されている。
【００１６】
室外制御部２９は、通信線を介して圧縮機１２、四路切換弁１３、膨張弁１５、室外ファン１６および温度センサ２１〜２５、湿度センサ２６に通信接続されている。たとえば、室外制御部２９のプロセッサは、随時、温度センサ２１〜２５や湿度センサ２６の出力情報や、メモリに記憶される種々の制御パラメータ等を演算処理して適切な制御パラメータを導出し、その制御パラメータを、圧縮機１２や、四路切換弁１３、膨張弁１５、室外ファン１６に送信する。また、プロセッサは、必要に応じて、制御パラメータ等を室内制御部３５に送信したり、受信したりする。
【００１７】
室内機３０は、主に、筐体３１、室内熱交換器３２、室内ファン３３、フラップ３６、室内熱交換器温度センサ３４、室内温度センサ３７および室内制御部３５から構成されている。室内機３０は、一般的に室内の壁面に設置されている。筐体３１には、室内熱交換器３２、室内ファン３３、室内熱交換器温度センサ３４、室内温度センサ３７および室内制御部３５等が収納されている。
【００１８】
室内熱交換器３２は、３個の熱交換器３２Ａ、３２Ｂ、３２Ｃを、室内ファン３３を覆う屋根（逆Ｖ字状、λ字状）のように組み合わせたものである。なお、各熱交換器３２Ａ、３２Ｂ、３２Ｃは、左右両端で複数回折り返された伝熱管（図示せず）に多数の放熱フィン（図示せず）が取り付けられたものであって、冷房運転時および除霜運転時（図１参照）には蒸発器として機能し、暖房運転時（図２参照）には凝縮器として機能する。
【００１９】
室内ファン３３は、主に、クロスフローファンおよびモータから構成されている。クロスフローファンは、モータによって回転駆動され、室内の空気を筐体３１に吸い込んで室内熱交換器３２に供給すると共に、室内熱交換器３２で熱交換された空気を室内に送出する。モータは、通信線を介して室内制御部３５に通信接続されており、室内制御部３５から送信される制御信号に従って動作する。なお、室内ファンとして、プロペラファンなど別のファンを用いてもよい。
【００２０】
室内熱交換器温度センサ３４は室内熱交換器３２に配置されている。室内温度センサ３７は、室内温度を測定するものであって筐体３１内の吸込口付近に配置されている。温度センサ３４，３７は、通信線を介して室内制御部３５に通信接続されており、計測された温度に関する情報を室内制御部３５に送信している。
【００２１】
室内制御部３５は、通信線を介して室内ファン３３、フラップ３６および温度センサ３４，３７に通信接続されている。室内制御部３５のプロセッサは、随時、リモートコントローラ５０からの制御信号や、温度センサ３４，３７の出力情報等を演算処理して適切な制御パラメータを導出し、その制御パラメータ等を、室内ファン３３や、フラップ３６に送信する。また、プロセッサは、必要に応じて、制御パラメータ等を室外制御部２９に送信したり、制御パラメータ等を室外制御部２９から受信したりする。赤外線受光部３５ａは、リモートコントローラ５０から発生される点滅赤外線を受光するものである。この赤外線受光部３５ａは、点滅赤外線を信号化処理し、生成した信号を室内制御部３５に受け渡す。
【００２２】
室外機１０の圧縮機１２、四路切換弁１３、室外熱交換器１４および膨張弁１５、ならびに室内機３０の室内熱交換器３２は、冷媒配管１７，１８によって順次接続され、冷媒回路を構成している。
【００２３】
＜空気調和機の基本的な動作＞
以下、本実施の形態にかかる空気調和機１の冷房運転、暖房運転、および除霜運転について詳述する。
【００２４】
冷房運転では、四路切換弁１３が図１に示される状態、すなわち、圧縮機１２の吐出管１２ａが室外熱交換器１４に接続され、かつ、圧縮機１２の吸入管１２ｂが室内熱交換器３２に接続された状態となる。また、このとき、二方弁１９および三方弁２０は開状態とされている。この状態で、圧縮機１２が起動されると、ガス冷媒が、圧縮機１２に吸入され、圧縮された後、四路切換弁１３を経由して室外熱交換器１４に送られ、室外熱交換器１４において冷却され、液冷媒となる。その後、この液冷媒は、膨張弁１５に送られ、減圧されて気液二相状態となる。気液二相状態の冷媒は、二方弁１９を経由して室内熱交換器３２に供給され、室内空気を冷却するとともに蒸発されてガス冷媒となる。最後に、そのガス冷媒は、三方弁２０および四路切換弁１３を経由して、再び、圧縮機１２に吸入される。
【００２５】
暖房運転では、四路切換弁１３が図２に示される状態、すなわち、圧縮機１２の吐出管１２ａが室内熱交換器３２に接続され、かつ、圧縮機１２の吸入管１２ｂが室外熱交換器１４に接続された状態となる。また、このとき、二方弁１９および三方弁２０は開状態とされている。この状態で、圧縮機１２が起動されると、ガス冷媒が、圧縮機１２に吸入され、圧縮された後、四路切換弁１３および三方弁２０を経由して室内熱交換器３２に供給され、室内空気を加熱すると共に凝縮されて液冷媒となる。その後、この液冷媒は、二方弁１９を経由して膨張弁１５に送られ、減圧されて気液二相状態となる。気液二相状態の冷媒は、室外熱交換器１４に送られて、室外熱交換器１４において蒸発させられてガス冷媒となる。最後に、そのガス冷媒は、四路切換弁１３を経由して、再び、圧縮機１２に吸入される。
【００２６】
暖房運転時には、室外熱交換器１４に霜が付き熱交換能力が落ちる場合がある。そこで、室外制御部２９が、室外熱交換器用の温度センサ２１からの温度に基づいて、室外熱交換器１４に霜が付いたか否か（除霜が必要か否か）を判定する。室外制御部２９は、霜が付いた（除霜が必要）と判断した場合に、四路切換弁１３を切り換えて除霜運転サイクル（冷房運転サイクル）とし、上述の除霜運転（冷房運転）を行なうことによって除霜する（リバース除霜）。なお、室外制御部２９は、室外熱交換器用の温度センサ２１からの温度に基づいて、適切に室外熱交換器１４の霜が除かれたか否かを判定する。
＜空気調和機１の機能構成＞
【００２７】
次に、図３を参照しながら、本実施の形態にかかる空気調和機１の機能構成について説明する。上述したように、空気調和機１は、室外制御部２９と室内制御部３５とを含む。以下では、説明のために、室外制御部２９と室内制御部３５とを合わせて制御部１００という。なお、室外制御部２９と室内制御部３５とは、配線によって通信可能である。そして、制御部１００が実行する処理は、室外制御部２９によって実行されてもよいし、室内制御部３５によって実行されてもよいし、両者で役割分担することによって実行されてもよい。また、空気調和機１が室内制御部３５を有さずに、制御部１００のほとんど全ての機能が室外制御部２９に搭載されてもよい。あるいは、空気調和機１が室外制御部２９を有さずに、制御部１００のほとんど全ての機能が室内制御部３５に搭載されてもよい。
【００２８】
制御部１００は、例えば、各種演算処理を行なうためのプロセッサ１１０と、各種プログラムやデータを記憶するためのメモリ１２０と、時計（タイマ）１３０とを含む。プロセッサ１１０は、例えばＣＰＵ（Central Processing Unit）により構成される。プロセッサ１１０は、メモリ１２０内に格納されたプログラムに従って各種の処理を実行する。
【００２９】
メモリ１２０は、各種のＲＡＭ（Random  Access  Memory）、各種のＲＯＭ（Read-Only  Memory）などによって実現される。本実施の形態においては、メモリ１２０は、温度と相対湿度と露点温度との対応関係、すなわち湿度露点関係、などを記憶する。
【００３０】
時計１３０は各種の経過時間を測定して、当該経過時間をプロセッサ１１０に受け渡す。たとえは、プロセッサ１１０は、暖房運転開始からの経過時間を時計１３０から取得する。
【００３１】
本実施の形態においては、膨張弁１５の開度は、ステッピングモータ３９での相の励磁ステップ数として算出されることとする。ただし、膨張弁１５はこのような形式のものには限られない。制御部１００は、サイクルが効率よく熱交換を行うために、蒸発器の過熱度を所定値に保つように、膨張弁１５の開度の制御を行う。なお、「過熱度」という文言は、ある圧力のもとにある過熱蒸気温度と飽和蒸気温度との間の温度差を表わす。
＜制御部１００による膨張弁の制御＞
【００３２】
以下では、本実施の形態にかかる制御部１００が、実行する処理について説明する。図４は、本実施の形態にかかる制御部１００による膨張弁１５の開度の制御処理を示すフローチャートである。制御部１００は、空気調和運転中に、定期的に以下の処理を実行する。
【００３３】
制御部１００は、まず、暖房運転中であるか否かを判断する（ステップＳ１０２）。暖房運転中でない場合は（ステップＳ１０２にてＮＯである場合）、制御部１００は、蒸発器の過熱度を所定値に保つように、通常の、膨張弁１５の開度の制御を行う（ステップＳ１９０）。
【００３４】
暖房運転中の場合は（ステップＳ１０２にてＹＥＳである場合）、制御部１００は、蒸発器の過熱度を所定値に保つために、膨張弁１５の目標開度を計算する（ステップＳ１１２）。本実施の形態においては、制御部１００は、温度センサ２１から室外熱交換器１４の温度Ｔを取得する（ステップＳ１１４）。
【００３５】
制御部１００は、室外熱交換器１４の温度Ｔが所定の温度、たとえば０℃、未満であるか否かを判断する（ステップＳ１１６）。なお、制御部１００は、室外熱交換器１４の温度Ｔが所定の温度以下であるか否かを判断してもよい。室外熱交換器１４の温度Ｔが所定の温度以上である場合（ステップＳ１１６にてＮＯである場合）、制御部１００は、計算した目標開度に向けて、通常のスピードＶｏで膨張弁１５の開度を調節する（ステップＳ１２０）。
【００３６】
一方、室外熱交換器１４の温度Ｔが所定の温度未満である場合は（ステップＳ１１６にてＹＥＳである場合）、制御部１００は、膨張弁１５の開閉スピードを減少させる（ステップＳ１１８）。たとえば、式（１）に示すように、開閉スピードを修正する。
Ｖｎ＝αＶｏ・・・（１）
なお、Ｖｏは、通常の開閉スピードである。Ｖｎは、修正後の開閉スピードである。αは、０＜α＜１を満たす数値であって、たとえば、０．４＜α＜０．９を満たすことが好ましい。
【００３７】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
【００３８】
通常の空気調和機１に関しては、室外熱交換器１４に着霜し始めると、通常は目標加熱度と現在の加熱度との差が大きくなり、図５（Ａ）に示すように膨張弁１５が過度に絞られてしまう。これによって、着霜を早めたり、着霜の量を増加させたりしてしまう可能性が生じる。しかしながら、本実施の形態においては、室外熱交換器１４の温度が低い場合に、膨張弁１５の開閉スピードを遅くするため、図５（Ｂ）に示すように、誤って膨張弁１５を閉じすぎて着霜を早めたり、着霜の量を増加させたりしてしまう可能性を低減することができる。
【００３９】
あるいは、目標の加熱度に向けて膨張弁１５を制御しても、図６に示すように、加熱度が安定しない場合がある。そのような場合は、誤って膨張弁１５を閉じすぎて室外熱交換器１４への着霜を早めたり、着霜の量を増加させたりしてしまう場合がある。本実施の形態においては、室外熱交換器１４の温度が低い場合に、膨張弁１５の開閉スピードを遅くするため、誤って膨張弁１５を閉じすぎて着霜を早めたり、着霜の量を増加させたりしてしまう可能性を低減することができる。
＜第２の実施の形態＞
【００４０】
室外熱交換器１４の温度が低くない場合は、膨張弁を閉めすぎて室外熱交換器１４への着霜を早める可能性や、着霜の量を増加させる可能性が低いので、所望の加熱度ＳＨまたは所望の膨張弁開度Ｅｎに早く到達するように、図７に示すように、制御部１００が、膨張弁１５の開閉スピードを速くすることが好ましい。
【００４１】
より詳細には、図８に示すように、制御部１００は、室外熱交換器１４の温度Ｔが第１の所定の温度、たとえば０℃、以上である場合は（ステップＳ１１６にてＮＯである場合）、室外熱交換器１４の温度Ｔが第２の所定の温度、たとえば３℃、よりも高いか否かを判断する（ステップＳ１１６Ｂ）。室外熱交換器１４の温度Ｔが第２の所定の温度以下である場合（ステップＳ１１６ＢにてＮＯである場合）、制御部１００は、ステップＳ１２０からの処理を実行する。
【００４２】
室外熱交換器１４の温度Ｔが第２の所定の温度よりも高い場合（ステップＳ１１６ＢにてＹＥＳである場合）、制御部１００は、膨張弁１５の開閉スピードを増加させる（ステップＳ１１８）。たとえば、式（２）に示すように、開閉スピードを修正する。
Ｖｎ＝βＶｏ・・・（２）
なお、Ｖｏは、通常の開閉スピードである。Ｖｎは、修正後の開閉スピードである。βは、１＜βを満たす数値であって、たとえば、１．０＜α＜１．５を満たすことが好ましい。
【００４３】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
【００４４】
なお、ステップＳ１０２〜ステップＳ１１４、ステップＳ１１８、ステップＳ１２０の処理は第１の実施の形態のそれと同様であるため、ここではそれらの説明を繰り返さない。
＜第３の実施の形態＞
【００４５】
第１および第２の実施の形態は、室外熱交換器１４の温度が低い場合に、膨張弁１５の開閉速度に所定の制限を設けるものである。しかしながら、本実施の形態においては、室外熱交換器１４の温度が低い場合に、室外熱交換器１４の温度に合わせて膨張弁１５の開閉速度の制限の程度を変更するものである。
【００４６】
以下では、本実施の形態にかかる制御部１００が、実行する処理について説明する。図９は、本実施の形態にかかる制御部１００による膨張弁１５の開度の制御処理を示すフローチャートである。なお、ステップＳ１０２からステップＳ１１６までの処理に関しては、第１の実施の形態のそれらと同様であるため、ここではそれらの説明を繰り返さない。
【００４７】
室外熱交換器１４の温度Ｔが所定の温度未満である場合は（ステップＳ１１６にてＹＥＳである場合）、制御部１００は、膨張弁１５の開閉速度を計算する（ステップＳ１１７）。たとえば、制御部１００のプロセッサ１０１は、式（３）の計算結果に基づいて、膨張弁１５の開閉スピードを設定する（ステップＳ１１８）。
Ｖｎ＝（１−γ（Ｔｓｈ−Ｔ））Ｖｏ・・・（３）
なお、Ｖｏは、通常の開閉スピードである。Ｖｎは、修正後の開閉スピードである。Ｔは、室外熱交換器１４の温度である。Ｔｓｈは、ステップＳ１１６の所定の温度である。γは、０＜γ＜０．１を満たす数値である。
【００４８】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
＜第４の実施の形態＞
【００４９】
第１から第３の実施の形態は、室外熱交換器１４の温度が低い場合に、膨張弁１５の開閉スピードを遅くするものであった。しかしながら、本実施の形態においては、室外熱交換器１４の温度が低い場合に、膨張弁１５の開度の下限を設けるものである。
【００５０】
以下では、本実施の形態にかかる制御部１００が、実行する処理について説明する。図１０は、本実施の形態にかかる制御部１００による膨張弁１５の開度の制御処理を示すフローチャートである。なお、ステップＳ１０２からステップＳ１１６までの処理に関しては、第１の実施の形態のそれらと同様であるため、ここではそれらの説明を繰り返さない。
【００５１】
室外熱交換器１４の温度Ｔが所定の温度未満である場合は（ステップＳ１１６にてＹＥＳである場合）、制御部１００は、膨張弁１５の開度の下限を設定する（ステップＳ１２８）。たとえば、制御部１００は、膨張弁１５の開度の下限として、膨張弁１５の開度の上限の２０％を設定する。そして、制御部１００は、計算した目標開度に向けて、当該下限を下回らないように膨張弁１５の開度を調節する（ステップＳ１２０）。なお、除霜運転が開始されたり、暖房運転が終了したりすると、制御部１００は、膨張弁１５の開度の下限の制限を無効にする。
【００５２】
通常の空気調和機１に関しては、室外熱交換器１４に着霜し始めると、通常は目標加熱度と現在の加熱度との差が大きくなり、図５（Ａ）に示すように膨張弁１５を絞りすぎてしまう可能性がある。これによって、着霜を早めたり、着霜の量を増加させたりしてしまう可能性がある。しかしながら、本実施の形態においては、室外熱交換器１４の温度が低い場合に、膨張弁１５の開度を下げ過ぎないため、誤って着霜を早めたり、着霜の量を増加させたりしてしまう可能性を低減することができる。
＜第５の実施の形態＞
【００５３】
第４の実施の形態は、室外熱交換器１４の温度が低い場合に、膨張弁１５の開度の下限を設けるものである。しかしながら、本実施の形態においては、室外熱交換器１４の温度が低い場合に、室外熱交換器１４の温度に合わせて膨張弁１５の開度の下限を設定するものである。
【００５４】
以下では、本実施の形態にかかる制御部１００が、実行する処理について説明する。図１１は、本実施の形態にかかる制御部１００による膨張弁１５の開度の制御処理を示すフローチャートである。なお、ステップＳ１０２からステップＳ１１６までの処理に関しては、第１の実施の形態のそれらと同様であるため、ここではそれらの説明を繰り返さない。
【００５５】
室外熱交換器１４の温度Ｔが所定の温度未満である場合は（ステップＳ１１６にてＹＥＳである場合）、制御部１００は、膨張弁１５の開度の下限を計算する（ステップＳ１２７）。たとえば、制御部１００のプロセッサ１０１は、式（４）の計算結果に基づいて、膨張弁１５の開度の下限を設定する（ステップＳ１２８）。
Ｓｎ＝Ｓｍａｘ×（０．２＋δ（Ｔｓｈ−Ｔ））・・・（４）
なお、Ｓｍａｘは、膨張弁１５の開度の上限値である。Ｓｎは、修正後の膨張弁１５の開度の下限値である。Ｔは、室外熱交換器１４の温度である。Ｔｓｈは、ステップＳ１１６の所定の温度である。δは、０＜δ＜０．１を満たす数値である。
【００５６】
そして、制御部１００は、計算した目標開度に向けて、当該下限Ｓｎを下回らないように膨張弁１５の開度を調節する（ステップＳ１２０）。なお、除霜運転が開始されたり、暖房運転が終了したりすると、制御部１００は、膨張弁１５の開度の下限の制限を無効にする。
＜第６の実施の形態＞
【００５７】
本実施の形態においては、室外熱交換器１４の温度が低い場合に、膨張弁１５の開閉スピードを遅くしつつ、膨張弁１５の開度の下限も設けるものである。
【００５８】
以下では、本実施の形態にかかる制御部１００が、実行する処理について説明する。図１２は、本実施の形態にかかる制御部１００による膨張弁１５の開度の制御処理を示すフローチャートである。なお、ステップＳ１０２からステップＳ１１６までの処理に関しては、第１の実施の形態のそれらと同様であるため、ここではそれらの説明を繰り返さない。
【００５９】
室外熱交換器１４の温度Ｔが所定の温度未満である場合は（ステップＳ１１６にてＹＥＳである場合）、制御部１００は、膨張弁１５の開閉スピードを減少させる（ステップＳ１１８）。たとえば、式（１）に示すように、開閉スピードを修正する。さらに、本実施の形態においては、制御部１００は、膨張弁１５の開度の下限を設定する（ステップＳ１２８）。
【００６０】
そして、制御部１００は、修正後の開閉スピードＶｎで、計算した目標開度に向けて、当該下限Ｓｎを下回らないように膨張弁１５の開度を調節する（ステップＳ１２０）。なお、除霜運転が開始されたり、暖房運転が終了したりすると、制御部１００は、膨張弁１５の開閉速度の制限と膨張弁１５の開度の下限の制限とを無効にする。
＜第７の実施の形態＞
【００６１】
第１から第６の実施の形態は、室外熱交換器１４の温度が低い場合に、膨張弁１５の開閉スピードや開度の下限を制限するものであった。しかしながら、本実施の形態においては、暖房運転開始からの経過時間に基づいて、膨張弁１５の開閉スピードを制限するものである。
【００６２】
以下では、本実施の形態にかかる制御部１００が、実行する処理について説明する。図１３は、本実施の形態にかかる制御部１００による膨張弁１５の開度の制御処理を示すフローチャートである。制御部１００は、空気調和運転中に、定期的に以下の処理を実行する。
【００６３】
制御部１００は、まず、暖房運転中であるか否かを判断する（ステップＳ１０２）。暖房運転中でない場合は（ステップＳ１０２にてＮＯである場合）、制御部１００は、蒸発器の過熱度を所定値に保つように、通常の、膨張弁１５の開度の制御を行う（ステップＳ１９０）。
【００６４】
暖房運転中の場合は（ステップＳ１０２にてＹＥＳである場合）、制御部１００は、蒸発器の過熱度を所定値に保つために、膨張弁１５の目標開度を計算する（ステップＳ１１２）。本実施の形態においては、制御部１００は、暖房運転開始からの経過時間ｔを取得する（ステップＳ１２４）。
【００６５】
制御部１００は、暖房運転開始からの経過時間ｔが所定の時間、たとえば１０分、に達したか否かを判断する（ステップＳ１２６）。暖房運転開始からの経過時間ｔが所定の時間に達していない場合は（ステップＳ１２６にてＮＯである場合）、制御部１００は、計算した目標開度に向けて、通常のスピードＶｏで膨張弁１５の開度を調節する（ステップＳ１２０）。
【００６６】
一方、暖房運転開始からの経過時間ｔが所定の時間に達した場合は（ステップＳ１２６にてＹＥＳである場合）、制御部１００は、膨張弁１５の開閉スピードを減少させる（ステップＳ１１８）。たとえば、式（１）に示すように、開閉スピードを修正する。
【００６７】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
【００６８】
当然に、図１４に示すように、制御部１００は、暖房運転開始からの経過時間に基づいて、膨張弁１５の開度の下限を制限してもよい。
＜第８の実施の形態＞
【００６９】
第１から第６の実施の形態は、室外熱交換器１４の温度が低い場合に、膨張弁１５の開閉スピードや開度の下限を制限するものであった。しかしながら、本実施の形態においては、室外熱交換器１４近傍の湿度に基づいて、膨張弁１５の開閉スピードを制限するものである。
【００７０】
以下では、本実施の形態にかかる制御部１００が、実行する処理について説明する。図１５は、本実施の形態にかかる制御部１００による膨張弁１５の開度の制御処理を示すフローチャートである。制御部１００は、空気調和運転中に、定期的に以下の処理を実行する。
【００７１】
制御部１００は、まず、暖房運転中であるか否かを判断する（ステップＳ１０２）。暖房運転中でない場合は（ステップＳ１０２にてＮＯである場合）、制御部１００は、蒸発器の過熱度を所定値に保つように、通常の、膨張弁１５の開度の制御を行う（ステップＳ１９０）。
【００７２】
暖房運転中の場合は（ステップＳ１０２にてＹＥＳである場合）、制御部１００は、蒸発器の過熱度を所定値に保つために、膨張弁１５の目標開度を計算する（ステップＳ１１２）。本実施の形態においては、制御部１００は、湿度センサ２６から室外熱交換器１４の近傍の湿度Ｍを取得する（ステップＳ１３４）。
【００７３】
制御部１００は、室外熱交換器１４の近傍の湿度Ｍが所定の湿度、たとえば６０％、よりも高いか否かを判断する（ステップＳ１３６）。室外熱交換器１４の近傍の湿度Ｍが所定の湿度以下である場合は（ステップＳ１３６にてＮＯである場合）、制御部１００は、計算した目標開度に向けて、通常のスピードＶｏで膨張弁１５の開度を調節する（ステップＳ１２０）。
【００７４】
一方、室外熱交換器１４の近傍の湿度Ｍが所定の湿度よりも高い場合は（ステップＳ１３６にてＹＥＳである場合）、制御部１００は、膨張弁１５の開閉スピードを減少させる（ステップＳ１１８）。たとえば、式（１）に示すように、開閉スピードを修正する。
【００７５】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
【００７６】
当然に、図１６に示すように、制御部１００は、室外熱交換器１４の近傍の湿度Ｍが高い場合に、膨張弁１５の開度の下限を制限してもよい。
＜第９の実施の形態＞
【００７７】
第１から第６の実施の形態は、室外熱交換器１４の温度が低い場合に、膨張弁１５の開閉スピードや開度の下限を制限するものであった。しかしながら、本実施の形態においては、膨張弁１５の開度の変化の度合いに基づいて、膨張弁１５の開閉スピードを制限するものである。
【００７８】
以下では、本実施の形態にかかる制御部１００が、実行する処理について説明する。図１７は、本実施の形態にかかる制御部１００による膨張弁１５の開度の制御処理を示すフローチャートである。なお、本実施の形態においては、制御部１００は、膨張弁１５の開度の変化をメモリ１２０に蓄積していく。そして、制御部１００は、空気調和運転中に、定期的に以下の処理を実行する。
【００７９】
制御部１００は、まず、暖房運転中であるか否かを判断する（ステップＳ１０２）。暖房運転中でない場合は（ステップＳ１０２にてＮＯである場合）、制御部１００は、蒸発器の過熱度を所定値に保つように、通常の、膨張弁１５の開度の制御を行う（ステップＳ１９０）。
【００８０】
暖房運転中の場合は（ステップＳ１０２にてＹＥＳである場合）、制御部１００は、蒸発器の過熱度を所定値に保つために、膨張弁１５の目標開度を計算する（ステップＳ１１２）。本実施の形態においては、制御部１００は、過去の膨張弁１５の開度の経過に基づいて、膨張弁１５の開度の変化の度合い、たとえば開度の標準偏差など、を計算する（ステップＳ１４４）。
【００８１】
制御部１００は、膨張弁１５の開度の変化の度合いＥが所定値、たとえば開度の標準偏差が１００ＳＴＥＰなど、よりも大きいか否かを判断する（ステップＳ１４６）。膨張弁１５の開度の変化の度合いＥが所定値以下である場合は（ステップＳ１４６にてＮＯである場合）、制御部１００は、計算した目標開度に向けて、通常のスピードＶｏで膨張弁１５の開度を調節する（ステップＳ１２０）。
【００８２】
一方、膨張弁１５の開度の変化の度合いＥが所定値よりも大きい場合（ステップＳ１４６にてＹＥＳである場合）、制御部１００は、膨張弁１５の開閉スピードを減少させる（ステップＳ１１８）。たとえば、式（１）に示すように、開閉スピードを修正する。
【００８３】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
【００８４】
より詳細には、目標の加熱度に向けて膨張弁１５を制御する際に、図１８に示すように、加熱度が安定しない場合がある。そのような場合は、膨張弁１５を閉めすぎて室外熱交換器１４への着霜を早めたり、着霜の量を増加させたりしてしまう場合がある。そこで、本実施の形態においては、膨張弁１５の開度が安定しない場合に膨張弁１５の開閉スピードを遅くするため、誤って着霜を早めたり、着霜の量を増加させたりしてしまう可能性を低減することができる。
【００８５】
なお、当然に、図１９に示すように、制御部１００は、膨張弁１５の開度の変化の度合いＥが所定値よりも大きい場合に、膨張弁１５の開度の下限を制限してもよい。
＜第１０の実施の形態＞
【００８６】
本実施の形態においては、室外熱交換器１４の温度が低い場合、かつ、暖房運転開始からの経過時間が長い場合、かつ、室外熱交換器１４近傍の湿度が高い場合、かつ、膨張弁１５の開度の変化の度合いが大きい場合に、膨張弁１５の開閉スピードを遅くするものである。
【００８７】
以下では、本実施の形態にかかる制御部１００が、実行する処理について説明する。図２０は、本実施の形態にかかる制御部１００による膨張弁１５の開度の制御処理を示すフローチャートである。制御部１００は、空気調和運転中に、定期的に以下の処理を実行する。
【００８８】
制御部１００は、まず、暖房運転中であるか否かを判断する（ステップＳ１０２）。暖房運転中でない場合は（ステップＳ１０２にてＮＯである場合）、制御部１００は、蒸発器の過熱度を所定値に保つように、通常の、膨張弁１５の開度の制御を行う（ステップＳ１９０）。
【００８９】
暖房運転中の場合は（ステップＳ１０２にてＹＥＳである場合）、制御部１００は、蒸発器の過熱度を所定値に保つために、膨張弁１５の目標開度を計算する（ステップＳ１１２）。
【００９０】
本実施の形態においては、制御部１００は、温度センサ２１から室外熱交換器１４の温度Ｔを取得する（ステップＳ１１４）。制御部１００は、室外熱交換器１４の温度Ｔが所定の温度、たとえば０℃未満であるか否かを判断する（ステップＳ１１６）。室外熱交換器１４の温度Ｔが所定の温度以上である場合は、制御部１００は、計算した目標開度に向けて、通常のスピードＶｏで膨張弁１５の開度を調節する（ステップＳ１２０）。
【００９１】
一方、室外熱交換器１４の温度Ｔが所定の温度未満である場合（ステップＳ１１６にてＹＥＳである場合）、制御部１００は、暖房運転開始からの経過時間ｔを取得する（ステップＳ１２４）。制御部１００は、暖房運転開始からの経過時間ｔが所定の時間、たとえば１０分、に達したか否かを判断する（ステップＳ１２６）。暖房運転開始からの経過時間ｔが所定の時間に達していない場合は（ステップＳ１２６にてＮＯである場合）、制御部１００は、計算した目標開度に向けて、通常のスピードＶｏで膨張弁１５の開度を調節する（ステップＳ１２０）。
【００９２】
一方、暖房運転開始からの経過時間ｔが所定の時間に達した場合は（ステップＳ１２６にてＹＥＳである場合）、湿度センサ２６から室外熱交換器１４の近傍の湿度Ｍを取得する（ステップＳ１３４）。制御部１００は、室外熱交換器１４の近傍の湿度Ｍが所定の湿度、たとえば６０％、よりも高いか否かを判断する（ステップＳ１３６）。室外熱交換器１４の近傍の湿度Ｍが所定の湿度以下である場合は（ステップＳ１３６にてＮＯである場合）、制御部１００は、計算した目標開度に向けて、通常のスピードＶｏで膨張弁１５の開度を調節する（ステップＳ１２０）。
【００９３】
一方、室外熱交換器１４の近傍の湿度Ｍが所定の湿度よりも高い場合は（ステップＳ１３６にてＹＥＳである場合）、制御部１００は、過去の膨張弁１５の開度の経過に基づいて、膨張弁１５の開度の変化の度合い、たとえば開度の標準偏差など、を計算する（ステップＳ１４４）。制御部１００は、膨張弁１５の開度の変化の度合いＥが所定値、たとえば１００ＳＴＥＰ、よりも大きいか否かを判断する（ステップＳ１４６）。膨張弁１５の開度の変化の度合いＥが所定値以下である場合は（ステップＳ１４６にてＮＯである場合）、制御部１００は、計算した目標開度に向けて、通常のスピードＶｏで膨張弁１５の開度を調節する（ステップＳ１２０）。
【００９４】
一方、膨張弁１５の開度の変化の度合いＥが所定値よりも大きい場合（ステップＳ１４６にてＹＥＳである場合）、制御部１００は、膨張弁１５の開閉スピードを減少させる（ステップＳ１１８）。たとえば、式（１）に示すように、開閉スピードを修正する。
【００９５】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
【００９６】
なお、当然に、図２１に示すように、制御部１００は、室外熱交換器１４の温度が低い場合、かつ、暖房運転開始からの経過時間が長い場合、かつ、室外熱交換器１４近傍の湿度が高い場合、かつ、膨張弁１５の開度の変化の度合いが大きい場合に、膨張弁１５の開度の下限を制限してもよい。
＜第１１の実施の形態＞
【００９７】
本実施の形態においては、室外熱交換器１４の温度が低い場合、または、暖房運転開始からの経過時間が長い場合、または、室外熱交換器１４近傍の湿度が高い場合、または、膨張弁１５の開度の変化の度合いが大きい場合に、膨張弁１５の開閉スピードを遅くするものである。
【００９８】
以下では、本実施の形態にかかる制御部１００が、実行する処理について説明する。図２２は、本実施の形態にかかる制御部１００による膨張弁１５の開度の制御処理を示すフローチャートである。制御部１００は、空気調和運転中に、定期的に以下の処理を実行する。
【００９９】
制御部１００は、まず、暖房運転中であるか否かを判断する（ステップＳ１０２）。暖房運転中でない場合は（ステップＳ１０２にてＮＯである場合）、制御部１００は、蒸発器の過熱度を所定値に保つように、通常の、膨張弁１５の開度の制御を行う（ステップＳ１９０）。
【０１００】
暖房運転中の場合は（ステップＳ１０２にてＹＥＳである場合）、制御部１００は、蒸発器の過熱度を所定値に保つために、膨張弁１５の目標開度を計算する（ステップＳ１１２）。
【０１０１】
本実施の形態においては、制御部１００は、温度センサ２１から室外熱交換器１４の温度Ｔを取得する（ステップＳ１１４）。制御部１００は、室外熱交換器１４の温度Ｔが所定の温度、たとえば０℃未満であるか否かを判断する（ステップＳ１１６）。室外熱交換器１４の温度Ｔが所定の温度未満である場合（ステップＳ１１６にてＹＥＳである場合）、制御部１００は、ステップＳ１１８からの処理を実行する。
【０１０２】
室外熱交換器１４の温度Ｔが所定の温度以上である場合（ステップＳ１１６にてＮＯである場合）、制御部１００は、暖房運転開始からの経過時間ｔを取得する（ステップＳ１２４）。制御部１００は、暖房運転開始からの経過時間ｔが所定の時間、たとえば１０分、に達したか否かを判断する（ステップＳ１２６）。暖房運転開始からの経過時間ｔが所定の時間に達した場合は（ステップＳ１２６にてＹＥＳである場合）、制御部１００は、ステップＳ１１８からの処理を実行する。
【０１０３】
暖房運転開始からの経過時間ｔが所定の時間に達していない場合は（ステップＳ１２６にてＮＯである場合）、制御部１００は、湿度センサ２６から室外熱交換器１４の近傍の湿度Ｍを取得する（ステップＳ１３４）。制御部１００は、室外熱交換器１４の近傍の湿度Ｍが所定の湿度、たとえば６０％、よりも高いか否かを判断する（ステップＳ１３６）。室外熱交換器１４の近傍の湿度Ｍが所定の湿度よりも高い場合は（ステップＳ１３６にてＹＥＳである場合）、制御部１００は、ステップＳ１１８からの処理を実行する。
【０１０４】
室外熱交換器１４の近傍の湿度Ｍが所定の湿度以下である場合は（ステップＳ１３６にてＮＯである場合）、制御部１００は、過去の膨張弁１５の開度の経過に基づいて、膨張弁１５の開度の変化の度合い、たとえば開度の標準偏差など、を計算する（ステップＳ１４４）。制御部１００は、膨張弁１５の開度の変化の度合いＥが所定値、たとえば１００ＳＴＥＰ、よりも大きいか否かを判断する（ステップＳ１４６）。膨張弁１５の開度の変化の度合いＥが所定値以下である場合は（ステップＳ１４６にてＮＯである場合）、制御部１００は、計算した目標開度に向けて、通常のスピードＶｏで膨張弁１５の開度を調節する（ステップＳ１２０）。
【０１０５】
一方、膨張弁１５の開度の変化の度合いＥが所定値よりも大きい場合（ステップＳ１４６にてＹＥＳである場合）、制御部１００は、膨張弁１５の開閉スピードを減少させる（ステップＳ１１８）。たとえば、式（１）に示すように、開閉スピードを修正する。
【０１０６】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
【０１０７】
なお、当然に、図２３に示すように、制御部１００は、室外熱交換器１４の温度が低い場合、または、暖房運転開始からの経過時間が長い場合、または、室外熱交換器１４近傍の湿度が高い場合、または、膨張弁１５の開度の変化の度合いが大きい場合に、膨張弁１５の開度の下限を制限してもよい。
＜第１２の実施の形態＞
【０１０８】
本実施の形態においては、暖房運転中においては、冷房運転と比較して、膨張弁１５の開閉スピードを遅くするものである。
【０１０９】
以下では、本実施の形態にかかる制御部１００が、実行する処理について説明する。図２４は、本実施の形態にかかる制御部１００による膨張弁１５の開度の制御処理を示すフローチャートである。制御部１００は、空気調和運転中に、定期的に以下の処理を実行する。
【０１１０】
制御部１００は、まず、暖房運転中であるか否かを判断する（ステップＳ１０２）。暖房運転中でない場合は（ステップＳ１０２にてＮＯである場合）、制御部１００は、蒸発器の過熱度を所定値に保つように、通常の、膨張弁１５の開度の制御を行う（ステップＳ１９０）。
【０１１１】
暖房運転中の場合は（ステップＳ１０２にてＹＥＳである場合）、制御部１００は、蒸発器の過熱度を所定値に保つために、膨張弁１５の目標開度を計算する（ステップＳ１１２）。本実施の形態においては、制御部１００は、膨張弁１５の開閉スピードを減少させる（ステップＳ１１８）。たとえば、式（１）に示すように、開閉スピードを修正する。
【０１１２】
そして、制御部１００は、修正後の開閉スピードＶｎで、計算した目標開度に向けて膨張弁１５の開度を調節する（ステップＳ１２０）。なお、除霜運転が開始されたり、暖房運転が終了したりすると、制御部１００は、膨張弁１５の開閉速度の制限を無効にする。
【０１１３】
なお、当然に、図２５に示すように、暖房運転中においては、冷房運転と比較して、膨張弁１５の開度の下限を制限してもよい。
＜第１３の実施の形態＞
【０１１４】
第１から第１２の実施の形態においては、制御部１００がほぼ全ての処理を実行するものであった。しかしながら、上記の制御部１００の一部または全部の処理を、クラウド上などのサーバが担う形態であってもよい。
＜まとめ＞
【０１１５】
上記の第１から第１３の実施の形態においては、室外熱交換器１４と、室外熱交換器１４の温度を測定するための温度センサ２１と、膨張弁１５と、暖房運転中に室外熱交換器１４の温度が所定値以下になったときに、膨張弁１５の絞りを制限するための制御部１００と、を備える空気調和機１が提供される。
【０１１６】
あるいは、室外熱交換器１４と、室外熱交換器１４の温度を測定するための温度センサ２１と、膨張弁１５と、暖房運転を開始してから所定の時間経過した場合に、膨張弁１５の絞りを制限するための制御部１００と、を備える空気調和機１が提供される。
【０１１７】
好ましくは、制御部１００は、制限として、膨張弁１５を閉める速度を所定値よりも遅くする。
【０１１８】
好ましくは、制御部１００は、制限として、膨張弁１５の開度を所定値よりも下げないようにする。
【０１１９】
好ましくは、制御部１００は、湿度が所定値以上である場合に制限を開始する。
【０１２０】
あるいは、膨張弁１５と、暖房運転時の膨張弁１５の開閉速度が、冷房運転時の膨張弁１５の開閉速度よりも遅くなるように制御するための制御部１００と、を備える空気調和機１が提供される。
【０１２１】
あるいは、膨張弁１５と、暖房運転時の膨張弁１５の最小開度が、冷房運転時の膨張弁１５の最小開度よりも大きくなるように制御するための制御部１００と、を備える空気調和機が提供される。
【０１２２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１２３】
１          ：空気調和機
１０        ：室外機
１１        ：筐体
１２        ：圧縮機
１２ａ      ：吐出管
１２ｂ      ：吸入管
１３        ：四路切換弁
１４        ：室外熱交換器
１５        ：膨張弁
１６        ：室外ファン
１７        ：冷媒配管
１８        ：冷媒配管
１９        ：二方弁
２０        ：三方弁
２１        ：室外熱交換器温度センサ
２２        ：吐出温度センサ
２３        ：吸入温度センサ
２４        ：出口温度センサ
２５        ：外気温度センサ
２６        ：室外熱交換器湿度センサ
２９        ：室外制御部
３０        ：室内機
３１        ：筐体
３２        ：室内熱交換器
３３        ：室内ファン
３４        ：室内熱交換器温度センサ
３５        ：室内制御部
３５ａ      ：赤外線受光部
３６        ：フラップ
３７        ：室内温度センサ
３９        ：ステッピングモータ
５０        ：リモートコントローラ
１００      ：制御部
１０１      ：プロセッサ
１１０      ：プロセッサ
１２０      ：メモリ
１３０      ：時計
【図１】
2019020019.tif 000003
【図２】
2019020019.tif 000004
【図３】
2019020019.tif 000005
【図４】
2019020019.tif 000006
【図５】
2019020019.tif 000007
【図６】
2019020019.tif 000008
【図７】
2019020019.tif 000009
【図８】
2019020019.tif 000010
【図９】
2019020019.tif 000011
【図１０】
2019020019.tif 000012
【図１１】
2019020019.tif 000013
【図１２】
2019020019.tif 000014
【図１３】
2019020019.tif 000015
【図１４】
2019020019.tif 000016
【図１５】
2019020019.tif 000017
【図１６】
2019020019.tif 000018
【図１７】
2019020019.tif 000019
【図１８】
2019020019.tif 000020
【図１９】
2019020019.tif 000021
【図２０】
2019020019.tif 000022
【図２１】
2019020019.tif 000023
【図２２】
2019020019.tif 000024
【図２３】
2019020019.tif 000025
【図２４】
2019020019.tif 000026
【図２５】
2019020019.tif 000027